【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
固体撮像素子上に被写体の像を結像させる撮像レンズであって、物体側から像側に向かって順に、物体側に凸面を向けた正の屈折力を有する第１レンズと、像側に凹面を向けたメニスカス形状で負の屈折力を有する第２レンズと、像側に凹面を向けた第３レンズと、負の屈折力を有する第４レンズと、像側に凸面を向けた正の屈折力を有する第５レンズと、物体側および像側に凹面を向けた負の屈折力を有する第６レンズとから構成され、以下の条件式（１３）を満足することを特徴とする撮像レンズ。
（１３）０．３５＜（Ｔ５／ｆ）×１００＜３．００
ただし、
Ｔ５：第５レンズの像側の面から第６レンズの物体側の面までの光軸上の距離
ｆ：撮像レンズ全系の焦点距離
【請求項２】
固体撮像素子上に被写体の像を結像させる撮像レンズであって、物体側から像側に向かって順に、物体側に凸面を向けた正の屈折力を有する第１レンズと、像側に凹面を向けたメニスカス形状で負の屈折力を有する第２レンズと、像側に凹面を向けた正の屈折力を有する第３レンズと、第４レンズと、像側に凸面を向けた正の屈折力を有する第５レンズと、物体側および像側に凹面を向けた負の屈折力を有する第６レンズとから構成され、前記第４レンズと前記第５レンズと前記第６レンズから構成されるレンズ群は負の合成屈折力を有し、前記第１レンズの像側の面は物体側の面の曲率半径よりも大きい曲率半径を有し、以下の条件式（６’）を満足することを特徴とする撮像レンズ。
（６’）１．９＜（ｒ３＋ｒ４）／（ｒ３−ｒ４）＜４．５
ただし、
ｒ３：第２レンズの物体側の面の曲率半径
ｒ４：第２レンズの像側の面の曲率半径
【請求項３】
前記第１レンズの物体側に開口絞りを配置したことを特徴とする請求項１または２記載の撮像レンズ。
【請求項４】
請求項１に記載の撮像レンズにおいて、撮像レンズを、第１レンズと第２レンズと第３レンズとから構成される合成屈折力が正のレンズ群と、第４レンズと第５レンズと第６レンズとから構成される合成屈折力が負のレンズ群となるようにしたことを特徴とする撮像レンズ。
【請求項５】
請求項１または２に記載の撮像レンズにおいて、以下の条件式（１）を満足することを特徴とする撮像レンズ。
（１）０．１８＜ＡＧ１６／Σｄ＜０．３ただし、
ＡＧ１６：第１レンズから第６レンズまでの光軸上における空気間隔の和
Σｄ：第１レンズの物体側の面から第６レンズの像側の面までの光軸上の距離
【請求項６】
請求項１又は５に記載の撮像レンズにおいて、以下の条件式（２）を満足することを特徴とする撮像レンズ。
（２）２０＜νｄ３−νｄ４＜４０
ただし、
νｄ３：第３レンズのｄ線に対するアッベ数
νｄ４：第４レンズのｄ線に対するアッベ数
【請求項７】
前記第５レンズは、物体側の面に光軸上以外の位置に変極点を有する非球面が形成されていることを特徴とする請求項１または２に記載の撮像レンズ。
【請求項８】
前記第５レンズにおいて、以下の条件式（３）を満足することを特徴とする請求項７に記載の撮像レンズ。
（３）０．２＜Ｐｈ５１／ｉｈ＜０．９
ただし、
Ｐｈ５１：第５レンズの物体側の面の変極点位置の光軸から垂直な高さ
ｉｈ：最大像高
【請求項９】
請求項１または２に記載の撮像レンズにおいて、以下の条件式（４）を満足することを特徴とする撮像レンズ。
（４）（ｆ５＋｜ｆ６｜）／ｆ＜１．３
ただし、
ｆ：撮像レンズ全系の焦点距離
ｆ５：第５レンズの焦点距離
ｆ６：第６レンズの焦点距離
【請求項１０】
請求項１または２に記載の撮像レンズにおいて、以下の条件式（５）を満足することを特徴とする撮像レンズ。
（５）０．５＜ｆ１／ｆ＜１．５
ただし、
ｆ：撮像レンズ全系の焦点距離
ｆ１：第１レンズの焦点距離
【請求項１１】
請求項１に記載の撮像レンズにおいて、以下の条件式（６）を満足することを特徴とする撮像レンズ。
（６）１．５＜（ｒ３＋ｒ４）／（ｒ３−ｒ４）＜４．５
ただし、
ｒ３：第２レンズの物体側の面の曲率半径
ｒ４：第２レンズの像側の面の曲率半径
【請求項１２】
前記第３レンズは正の屈折力を有し、前記第４レンズは物体側に凹面を向けた負の屈折力を有することを特徴とする請求項１または２に記載の撮像レンズ。
【請求項１３】
前記第２レンズ、前記第４レンズ、前記第６レンズは負の屈折力を有しており、以下の条件式（７）を満足することを特徴とする請求項１２に記載の撮像レンズ。
（７）Ｐ４＜Ｐ２＜Ｐ６
ただし、
Ｐ２：第２レンズの屈折力
Ｐ４：第４レンズの屈折力
Ｐ６：第６レンズの屈折力
【請求項１４】
前記第１レンズ、前記第３レンズ、前記第５レンズは正の屈折力を有しており、以下の条件式（８）を満足することを特徴とする請求項１２又は１３に記載の撮像レンズ。
（８）Ｐ３＜Ｐ１＜Ｐ５
ただし、
Ｐ１：第１レンズの屈折力
Ｐ３：第３レンズの屈折力
Ｐ５：第５レンズの屈折力
【請求項１５】
前記第６レンズは、像側の面に光軸上以外の位置に変極点を有する非球面が形成されていることを特徴とする請求項１または２に記載の撮像レンズ。
【請求項１６】
請求項１または２に記載の撮像レンズにおいて、以下の条件式（９）を満足することを特徴とする撮像レンズ。
（９）２０＜νｄ１−νｄ２＜４０
ただし、
νｄ１：第１レンズのｄ線に対するアッベ数
νｄ２：第２レンズのｄ線に対するアッベ数
【請求項１７】
請求項１６に記載の撮像レンズにおいて、以下の条件式（１０）および条件式（１１）を満足することを特徴とする撮像レンズ。
（１０）５０＜νｄ５＜７０
（１１）５０＜νｄ６＜７０
ただし、
νｄ５：第５レンズのｄ線に対するアッベ数
νｄ６：第６レンズのｄ線に対するアッベ数
【請求項１８】
請求項１または２に記載の撮像レンズにおいて、以下の条件式（１２）を満足することを特徴とする撮像レンズ。
（１２）０．７５＜Ｄ５／Ｄ６＜１．５０
ただし、
Ｄ５：第５レンズの光軸上の厚み
Ｄ６：第６レンズの光軸上の厚み
【請求項１９】
請求項２に記載の撮像レンズにおいて、以下の条件式（１３）を満足することを特徴とする撮像レンズ。
（１３）０．３５＜（Ｔ５／ｆ）×１００＜３．００
ただし、
Ｔ５：第５レンズの像側の面から第６レンズの物体側の面までの光軸上の距離
ｆ：撮像レンズ全系の焦点距離
【請求項２０】
請求項１または２に記載の撮像レンズにおいて、以下の条件式（１４）を満足することを特徴とする撮像レンズ。
（１４）０．６＜｜ｒ７｜／ｆ＜１７．０
ただし、
ｆ：撮像レンズ全系の焦点距離
ｒ７：第４レンズの物体側の面の曲率半径
【請求項２１】
前記第５レンズにおいて、以下の条件式（１５）を満足することを特徴とする請求項１または２に記載の撮像レンズ。
（１５）０．４５＜Ｅ５／Ｄ５＜１．２０
ただし、
Ｅ５：第５レンズの最大有効径におけるエッジ厚み
Ｄ５：第５レンズの光軸上の厚み
【請求項２２】
請求項１または２に記載の撮像レンズにおいて、以下の条件式（１６）を満足することを特徴とする撮像レンズ。
（１６）０．６＜ｆ１２／ｆ＜２．０
ただし、
ｆ：撮像レンズ全系の焦点距離
ｆ１２：第１レンズと第２レンズの合成焦点距離
【請求項２３】
請求項１または２に記載の撮像レンズにおいて、以下の条件式（１７）を満足することを特徴とする撮像レンズ。
（１７）０．８０＜ｉｈ／ｆ＜１．０
ただし、
ｆ：撮像レンズ全系の焦点距離
ｉｈ：最大像高
【請求項２４】
請求項１または２に記載の撮像レンズにおいて、以下の条件式（１８）を満足することを特徴とする撮像レンズ。
（１８）ＴＴＬ／２ｉｈ＜１．０
ただし、
ＴＴＬ：光学全長
ｉｈ：最大像高